(57)【要約】【課題】吊り杆の曲げ調節を簡単且つ確実に行うことのできる簡易な構造の折板吊金具用補強プレートを提供する。【解決手段】吊り杆Ｔ１の下端に耳保持部Ｔ２を備えた軒樋吊金具Ｔ３を設け、前記吊り杆Ｔ１の上端を、折板屋根Ｙ等に挿通して固定される折板吊金具Ｔに用いるための補強プレートＡであって、前記補強プレートＡは、相互に重合される一対の板体１、１と、重合された前記一対の板体１、１を固着するための固着具２と、より構成してなり、前記板体１、１は、前記固着具２を挿通する取付孔１１を開設すると共に、上端には、前記折板屋根Ｙ等の裏面に当接する当接片１２を設け、又、前記板体１、１の略中央には、外方に膨出させると共に、上、下端に亘って連通した通し溝部１３を形成し、更に、前記通し溝部１３は、前記板体１、１の上、下端の何れか一方から他方に向けて徐々に拡幅するように形成してなる。【選択図】図１
2008240432.tif 000002
【特許請求の範囲】
【請求項１】
吊り杆の下端に耳保持部を備えた軒樋吊金具を設け、前記吊り杆の上端を、折板屋根等に挿通して固定される折板吊金具に用いるための補強プレートであって、
前記補強プレートは、相互に重合される一対の板体と、重合された前記一対の板体を固着するための固着具と、より構成してなり、
前記板体は、前記固着具を挿通する取付孔を開設すると共に、上端には、前記折板屋根等の裏面に当接する当接片を設け、又、前記板体の略中央には、外方に膨出させると共に、上、下端に亘って連通した通し溝部を形成し、更に、前記通し溝部は、前記板体の上、下に亘って拡幅又は減幅するように形成してなる折板吊金具用補強プレート。
【請求項２】
請求項１において、
吊り杆は、ネジ山を備えたボルト軸で形成するとともに、通し溝部には、内方に向けて突出させた切り起し爪を形成して、この切り起し爪が前記吊り杆のネジ山に係止されるようにしている折板吊金具用補強プレート。
【請求項３】
請求項１又は２の何れかにおいて、
１つの板体は、複数枚の板片に分割されて形成している折板吊金具用補強プレート。
【発明の詳細な説明】
【技術分野】
【０００１】
本発明は、吊り杆の下端に耳保持部を備えた軒樋吊金具を設け、前記吊り杆の上端を、折板屋根等に挿通して固定される折板吊金具用補強プレートに関する。
【背景技術】
【０００２】
折板屋根等の建物では、軒樋等を直接取り付けできないため、一般には、前記折板屋根等に軒樋吊金具を固定し、該軒樋吊金具に前記軒樋を取付ける折板吊金具が使用されている。
【０００３】
このような折板吊金具は、吊り杆の下端に軒樋を取り付ける耳保持部を備えた軒樋吊金具を設け、前記吊り杆の上端を、折板屋根等に挿通して固定している。
【０００４】
そのため、前記吊り杆の上端には、軒樋等の全荷重が集中荷重となってかかり、前記吊り杆や折板屋根等に、曲げや破損等を生じる危険があるため、最近では、前記集中荷重を分散させて、曲げや破損等を防止するための補強部材が提案されている。
【０００５】
この補強部材は、吊り杆に貫通され、該吊り杆の上部に直交する方向に固定されてなり、前記補強部材の上面全体が、前記折板屋根等の裏面に当接されるようにしている。
【０００６】
そのため、前記軒樋等にかかる全荷重は、前記補強部材が当接している上面全体が折板屋根等の裏面に分散荷重となって負荷されるため、前記吊り杆や折板屋根等に生じる曲げや破損等を防止できる（例えば、特許文献１参照。）。
【特許文献１】特開平８−２５３９８５号
【発明の開示】
【発明が解決しようとする課題】
【０００７】
このように、従来の折板吊金具用補強部材は、吊り杆や折板屋根等に生じる曲げや破損等を防止できる点で効果があるが、構造が複雑であるうえ、施工し難いという問題があった。
【０００８】
具体的には、前記吊り杆の上端は、折板屋根等に貫通して固定されるが、前記補強部材は、この作業前に予め前記吊り杆に貫通して取り付ける必要がある。
【０００９】
一方、折板屋根等には、屋根勾配があると共に、該屋根勾配は、設置する建物等によって様々であるが、前記軒樋吊金具自体は、これを水平に設置しなければならない。
【００１０】
そのため、施工現場においては、前記軒樋吊金具自体が水平に設置されるように、前記屋根勾配に応じて前記吊り杆を若干曲げて加工したうえで、取付けることが多い。
【００１１】
しかしながら、前記補強金具を備えた折板吊金具では、前記吊り杆の曲げ調節の度に一々前記補強部材を取外して調節した後、再度吊り杆に貫通しなければならない手間が生じ、施工し難いという問題がある。
【００１２】
そこで、本発明者等は、吊り杆の曲げ調節を行った後に装着可能な着脱構造の折板吊金具用補強部材を新規に創作しただけでなく、更に進んで、折板吊金具の設置後であっても、前記吊り杆の曲げ調節を簡単且つ確実に行うことのできる簡易な構造の折板吊金具用補強プレートを提供するものである。
【課題を解決するための手段】
【００１３】
上記目的を達成するため、
請求項１に係る折板吊金具用補強プレートは、吊り杆の下端に耳保持部を備えた軒樋吊金具を設け、前記吊り杆の上端を、折板屋根等に挿通して固定される折板吊金具に用いるための補強プレートであって、前記補強プレートは、相互に重合される一対の板体と、重合された前記一対の板体を固着するための固着具と、より構成してなり、前記板体は、前記固着具を挿通する取付孔を開設すると共に、上端には、前記折板屋根等の裏面に当接する当接片を設け、又、前記板体の略中央には、外方に膨出させると共に、上、下端に亘って連通した通し溝部を形成し、更に、前記通し溝部は、前記板体の上、下に亘って拡幅又は減幅するように形成してなる。
【００１４】
請求項２に係る折板吊金具用補強プレートは、請求項１において、吊り杆は、ネジ山を備えたボルト軸で形成するとともに、通し溝部には、内方に向けて突出させた切り起し爪を形成して、この切り起し爪が前記吊り杆のネジ山に係止されるようにしている。
【００１５】
請求項３に係る折板吊金具用補強プレートは、請求項１又は２の何れかにおいて、１つの板体は、複数枚の板片に分割されて形成している。
【発明の効果】
【００１６】
本発明によれば、次のような効果がある。
請求項１に係る折板吊金具用補強プレートによれば、相互に重合される一対の板体と、重合された前記一対の板体を固着するための固着具とよりなり、前記板体の上端に折板屋根等の裏面に当接する当接片を設けた簡易な構造にしている。
【００１７】
そのため、吊り杆の曲げ調節を行った後に、前記一対の板体を前記吊り杆に着脱自在にできるため、折板吊金具の施工を簡単且つ確実に行うことができる。
【００１８】
又、前記板体の略中央には、外方に膨出させると共に、上、下端に亘って連通した通し溝部を形成し、更に、この通し溝部は、上、下に亘って拡幅又は減幅するように形成してなる。
【００１９】
そのため、折板吊金具の設置後においても、前記通し溝部の許容範囲内で吊り杆の曲げ調節を行うことができ、前記吊り杆の曲げ調節を簡単且つ確実に行うことができる。
【００２０】
請求項２に係る折板吊金具用補強プレートによれば、吊り杆は、ネジ山を備えたボルト軸で形成するとともに、膨出部には、内方に向けて突出させた切り起し爪を形成して、この切り起し爪が前記吊り杆のネジ山に係止されるようにしている。
【００２１】
そのため、前記一対の板体を前記吊り杆に装着した際、この板体の切り起し爪が前記吊り杆のネジ山に係止されるため、前記一対の板体がズレることなく確実に装着されて折板吊金具の施工をより確実に行うことができる。
【００２２】
請求項３に係る折板吊金具用補強プレートによれば、１つの板体は、複数枚の板片に分割されて形成している。
【００２３】
そのため、必要な部分の板片だけを着脱自在にできるため、折板吊金具の吊り杆の曲げ調節を更に簡単且つ確実に行うことができる。
【発明を実施するための最良の形態】
【００２４】
以下、本発明に係る折板吊金具用補強プレートＡを図面とともに説明する。
【実施例１】
【００２５】
図１は、本発明に係る折板吊金具用補強プレートＡの一実施例を示す取付状態図であり、図２（ａ）、（ｂ）は、図１で示した折板吊金具用補強プレートＡの１枚の板体を示す正面図及び側面図である。
【００２６】
この折板吊金具用補強プレートＡは、吊り杆Ｔ１の下端に耳保持部Ｔ２備えた軒樋吊金具Ｔ３を設け、吊り杆Ｔ１の上端を、折板屋根Ｙに挿通して固定される折板吊金具Ｔに用いるものであって、相互に重合される一対の板体１、１と、重合された一対の板体１、１を固着するための固着具２と、より構成してなる。
【００２７】
板体１は、固着具２を挿通する取付孔１１を適所に開設すると共に、上端には、折板屋根Ｙの裏面に当接する当接片１２を設けている。
【００２８】
ここでは、一対の板体１、１を、同形状に形成することでコストダウンを図っており、  そのため、当接片１２は、重合された板体１、１上端の前、後に向けて突設しているが、例えば、当接片１２を一方の板体１にのみ形成しても構わない。
【００２９】
又、板片１の形状は、上端から下方に向けて略狭くした略逆台形状に形成して、板片１を小型化しているが、これに限定されるものではなく、折板屋根Ｙの断面波形状等に応じて適宜選択できる。
【００３０】
又、板体１の略中央には、外方に膨出させると共に、上、下端に亘って連通した通し溝部１３を形成している。
【００３１】
この通し溝部１３は、板体１、１の上、下端の何れか一方から他方に向けて徐々に拡幅するように形成しており、ここでは、板体１、１の下端から上端に向けて徐々に拡幅するように形成した通し溝部１３を例示している。
【００３２】
この通し溝部１３の拡幅は、吊り杆Ｔ１の曲げ調節を行った後に、該吊り杆１を通し溝部１３内に収容できる程度（吊り杆Ｔ１の曲げを許容できる程度）に形成されていれば良い。
【００３３】
固着具２は、一対の板体１、１を確実に固着できるものであれば良く、ここでは、板体１、１に開設した取付孔１４にボルトを挿通し、このボルトにナットを螺着して一対の板体１、１を固着するものを例示している。
【００３４】
只、一対の板体１、１を確実に固着できるものであれば、例えば、一方の板体１のみに取付孔１４を開設しておき、この取付孔１４に向けてドリルネジ等の固着具２をネジ込んで、一対の板体１、１を固着することも可能である。
【００３５】
以上のように構成した本発明に係る折板吊金具用補強プレートＡは、以下の要領で使用する。
【００３６】
先ず、軒樋吊金具Ｔ３を備えた吊り杆Ｔ１の上端を、折板屋根Ｙに貫通し、この吊り杆Ｔ１の上端部にゴムパッキン等を備えたナット等の締着具からなる固定部材Ｔ４を螺合して、折板屋根Ｙに折板吊金具Ｔを取付ける。
【００３７】
そして、折板屋根Ｙの屋根勾配に応じて、軒樋が水平に設置されるように、吊り杆Ｔ１を周知手段によって若干曲げ加工を行い調節する。
【００３８】
次に、一方の板体１の通し溝部１３に吊り杆Ｔ１を収容し、この吊り杆Ｔ１を挟み込むようにして、他方の板体１を重合する。
【００３９】
そして、重合された板体１、１の取付孔１１に、ボルト等の固着具２を挿通してナットを仮締めして、板体１、１を仮止めする。
【００４０】
最後に、重合された板体１、１を上方に押し上げて、上端に設けた当接片１２を、折板屋根Ｙの裏面に当接させたうえで、固着具２を締付け、施工を完了する。
【００４１】
このように、本発明の折板吊金具用補強プレートＡによれば、吊り杆Ｔ１の曲げ調節を行った後に、一対の板体１、１を吊り杆Ｔ１に装着できるため、折板吊金具Ｔの施工を簡単且つ確実に行うことができる。
【００４２】
又、板体１、１の略中央には、下端から上端に向けて徐々に拡幅された通し溝部１３を形成している。
【００４３】
そのため、折板吊金具Ｔの施工を完了した設置後においても、通し溝部１３の許容範囲内で吊り杆Ｔ１の曲げ調節を行うことができるのである。
【００４４】
なお、上記施工要領は、一例に過ぎず、これに限定されるわけではない。
【実施例２】
【００４５】
図３（ａ）、（ｂ）は、本発明に係る折板吊金具用補強プレートＡの他の実施例を示す板体の正面図及び（ａ）の点線部分を示した要部断面図である。
【００４６】
なお、図１、２と共通する部位には、同一の符号を付して重複する説明を省略し、以下では、各実施例の特徴についてのみ説明する。
【００４７】
この折板吊金具用補強プレートＡは、吊り杆Ｔ１がネジ山Ｔ１１を備えたボルト軸で形成されている場合に使用されるものであって、板体１の膨出部１３には、内方に向けて突出させた切り起し爪１５を形成し、この切り起し爪１５が吊り杆Ｔ１のネジ山Ｔ１１に係止されるようにしている。
【００４８】
本実施例では、膨出部１３の略中央に、上下方向に間隔をあけて複数の切り起し爪１５を形成し、これら複数の切り起し爪１５が吊り杆Ｔ１のネジ山Ｔ１１に係止されることで、その係止を確実に行うことができる。
【００４９】
また、切り起し爪１５は、図例のような切り起した板状のものに限定されず、例えば、板体１の内方に向けて膨出させたリブであっても良く、ネジ山Ｔ１１に係止できるように形成されていれば良い。
【００５０】
このような折板吊金具用補強プレートＡによれば、一対の板体１、１を吊り杆Ｔ１に装着した際、この板体１の切り起し爪１５が吊り杆Ｔ１のネジ山Ｔ１１に係止されるため、一対の板体１、１がズレることなく確実に装着され、折板吊金具Ｔの施工をより確実に行うことができる。
【実施例３】
【００５１】
図４は、本発明に係る折板吊金具用補強プレートＡの更に他の実施例を示す取付状態図である。
【００５２】
なお、図１〜３と共通する部位には、同一の符号を付して重複する説明を省略し、以下では、各実施例の特徴についてのみ説明する。
【００５３】
この折板吊金具用補強プレートＡは、１つの板体１が、複数枚の板片１ａ、１ｂに分割されて形成している点に特徴がある。
【００５４】
ここでは、１つの板体１が、上、下２枚の板片１ａ、１ｂに分割されており、これら２枚の板片１ａ、１ｂの一方には長孔１１ａを形成すると共に、他方には、長孔１１ａに重合する軸孔１１ｂを形成している。
【００５５】
そして、これら長孔１１ａ及び軸孔１１ｂに固着具２を貫通させて１つの板体１が連結されると共に、一対の板体１、１が重合されて固着するようにしている。
【００５６】
なお、本実施例では、一方に長孔１１ａを形成し、他方に軸孔１１ｂを形成して両者を重合することで、板体１の微調節を可能にしているが、例えば、両者の何れも長孔１１ａに形成したり、或いは、両者の何れも軸孔１１ｂに形成することも可能である。
【００５７】
このような折板吊金具用補強プレートＡによれば、１つの板体１が、複数枚の板片１ａ、１ｂに分割されているため、必要な部分の板片１ａ、１ｂだけを着脱自在にできる。
【００５８】
そのため、例えば、折板吊金具Ｔの設置後における折板屋根Ｙの裏面に当接された上側部分の板片１ａの固定状態を維持したまま、下側の板片１ｂだけ取外して、吊り杆Ｔ１の一部を外被させて、その曲げ状態等を容易に確認でき、場合によっては、吊り杆Ｔ１の曲げ調節を行うことができるため、折板吊金具の施工を更に簡単且つ確実に行うことができる。
【図面の簡単な説明】
【００５９】
【図１】本発明に係る折板吊金具用補強プレートＡの一実施例を示す取付状態図である。
【図２】（ａ）、（ｂ）は、図１で示した折板吊金具用補強プレートＡの１枚の板体を示す正面図及び側面図である。
【図３】（ａ）、（ｂ）は、本発明に係る折板吊金具用補強プレートＡの他の実施例を示す板体の正面図及び（ａ）の点線部分を示した要部断面図である。
【図４】本発明に係る折板吊金具用補強プレートＡの更に他の実施例を示す取付状態図である。
【符号の説明】
【００６０】
Ａ      折板吊金具用補強プレート
Ｙ      折板屋根
Ｔ      折板吊金具
Ｔ１    吊り杆
Ｔ１１  ネジ山
Ｔ２    耳保持部
Ｔ３    軒樋吊金具
１      板体
１１    取付孔
２      固着具
１２    当接片
１３    通し溝部
１４    切り起し爪
【図１】
2008240432.tif 000003
【図２】
2008240432.tif 000004
【図３】
2008240432.tif 000005
【図４】
2008240432.tif 000006